(57)【要約】      （修正有）【課題】御飯を炊飯する時に水に手を浸す事無く、米の洗い,研ぎの水作業を機械的に行い、御飯を炊くに必要な洗米された米を供給でき、節水も出来る、手動式の家庭用洗米器を提供する。【解決手段】有底筒カップ状の容器本体と内部に収められた着脱可能な金網篭と容器本体を覆う、着脱可能な上蓋からなり、上蓋の中央部に回転可能で上下に移動の出来るハンドルと同ハンドルの下部に取付たスクリュウを有し、金網篭に定量の米を挿入し、上蓋で覆い、注水口より給水し、そのハンドルを手動で回転し下部のスクリュウの推進力で、水に水流を発生させ、内部に挿入した米を水中で撹拌し洗米した。又スクリュウの材質は柔軟性のあるシリコンゴム製で船のスクリュウの形状似で具備し、その先端には金属の突片を設け、スクリュウと金網篭の間に隙間を空けた状態で備えた。【選択図】図１
0003132807.tif 000002
【実用新案登録請求の範囲】
【請求項１】
有底筒カップ状の容器本体と、同容器本体の内部に着脱可能な網篭と、前記容器本体を覆う着脱可能な上蓋からなり、同上蓋には中央部に回転可能で上下にも移動の出来るハンドルと、同ハンドルの下部に取付たスクリュウを有してなることを特徴とするスクリュウ式手動洗米器。
【請求項２】
上記網篭と上記スクリュウの間に隙間を確保するために、上記スクリュウの先端に突片を設置したことを特徴とする請求項１に記載のスクリュウ式手動洗米器。
【請求項３】
上記上蓋には注水口を設け、上記容器本体には排水口を設け、同排水口の反対側にはグリップを設けたことを特徴とする請求項１と請求項２に記載のスクリュウ式手動洗米器。
【請求項４】
上記容器本体の外部の両側面にはアーム取付突片を設け、同アーム取付突片には上蓋を圧着固定するアームを取付けたことを特徴とする請求項１から請求項３に記載のスクリュウ式手動洗米器。
【考案の詳細な説明】
【技術分野】
【０００１】
本考案は、容器本体と容器本体内部に金属製の網篭(以後、金網篭と呼ぶ)金網篭を収め、その金網篭内に米を挿入し、容器本体を覆う上蓋と、上蓋の中央部には左右に回転可能、上下に移動の出来るハンドルとその下部にスクリュウを設置、そのスクリュウを手動で回転させ、給水口より内部に供給した水を、そのスクリュウを回転させて、生じた推進力で水に水流を発生させ、その水流で内部に挿入した水と米を撹拌し、何度か水を入れ替える事により内部に挿入した米を洗米する家庭用のスクリュウ式手動洗米器に関する。
【背景技術】
【０００２】
従来の洗米器は金網篭とその金網篭に装填された回転可能なハンドルと撹拌羽根からなる撹拌機構とを具備している。その金網篭に米を挿入し金網篭を洗い鍋に入れ、その洗い鍋に水を供給しハンドルを操作する事で撹拌羽根を回転させ、金網篭内の精米を水内で撹拌させて洗米し炊飯器の内釜に戻す方法(実公平３−４９６３２号)がある。容器本体と蓋に回転可能なハンドルと撹拌羽根とを有し、多数の小孔を穿設したボール状の容器を有し、そのボール状の容器に米を挿入し、容器本体にそのボール状の容器を装填し、回転可能なハンドルと撹拌羽根を具備している蓋を装着し、容器本体に備わる供給孔より給水し、ハンドルを操作する事で撹拌羽根を回転させ、ボール状の容器内の米を水内で撹拌させて洗米する。洗米が終了したらボール状の容器を取り出し炊飯器の内釜に米を挿入し炊飯する方法(特開平７‐２９８９９２号)がある。
【特許文献１】実公平３−４９６３２号
【特許文献２】特開平７‐２９８９９２号
【考案の開示】
【考案が解決しようとする課題】
【０００３】
米を炊飯する場合、御飯を美味しく炊く為には米を水で手洗いし、研ぎ、洗いの作業を繰り返し、水が綺麗に澄むまで、幾度も繰り返し手洗をしなければ、美味しい御飯を炊く事は出来ない。そこで、水に手を浸す事無く、洗米作業が容易に出来、冷たい水(特に冬季)の水作業から開放され、迅速に綺麗に洗米が出来、節水も出来る家庭用の手動式洗米器を提供する事を目的とする。
【課題を解決するための手段】
【０００４】
上記の課題を達成する為に、請求項１記載の考案によるスクリュウ式手動洗米器は、有底筒カップ状の容器本体と容器本体の内部に収めた一回り小さく米が流出せず着脱可能な金網篭を有し、容器本体を覆う着脱可能な上蓋と上蓋の中央部に左右に回転可能、上下に移動の出来るハンドルと、同ハンドルの下部に取り付けたスクリュウを有する。前記ハンドルを手動で回転させることで前記スクリュウを回転させ、上記上蓋に設けた注水口より注水した水に、スクリュウの回転による推進力で水流を発生させ、内部に挿入れた水と米を撹拌し洗米した。上蓋の中央部にはハンドル軸受けを設置し、回転軸を貫通させた。回転の出来るハンドルは、ハンドル部と回転軸部からなり、回転軸のスクリュウを取付る側は、傾斜を付け裾広がりにし、米がスクリュウの上部に溜まらず、滑り落ち易くした。ハンドル軸受は回転軸の回転を安定させる為、やや長めに設置した。ハンドルの回転軸は米を金網篭に挿入し、容器本体を上蓋で覆う時、上蓋が楽にアームで固定出来る様、スクリュウは、上下に自由に移動出来る様にした。一方、ハンドルは回転を容易に出来る様に握りを設置した。
【０００５】
請求項２記載の考案は、容器本体の内部には着脱可能な金網篭を有し、その金網篭とスクリュウとの間は、スクリュウ側の先端に金属性の突片を設けた。それにより金網篭とスクリュウとの間に隙間が出来た。そこに隙間が出来る事でスクリュウと金網篭の間に挟まれた米は、スクリュウを左右に駆動、回転させても米に加わる摩擦を和らげ少なく生じさせ、米に加わる負荷を軽減し米の破損は激減した。一方、ハンドルを左右に回転させる事により、その隙間を米と水が通過る事で適度の摩擦を生じ、米の研ぎ効果も良好となった。又スクリュウを右に回転(時計回り)させる事により、水はスクリュウの推進力で大きく撹拌され、金網篭に挿入した米は洗米された。スクリュウの材質は柔軟性のあるシリコンゴム製にする事で、米の破損を著しく抑えると共にゴム特有の移り香を無くせた。形状は船のスクリュウに似た形状で、金網篭の底の湾曲に合わせ成型する事で、洗い、研ぎ効果が増す。容器本体内部に収める器を金網篭にする事により、金網篭に挿入れた米を容器本体内部で水中撹拌し、洗米により出来た濁水と米に混じる屑米は迅速に金網篭で米と濁水、屑米に分られ、濁水と屑米は金網篭の外へ排出し、排水口より排水出来た。その為、水洗する水も少量で済み、節水もできた。
【０００６】
請求項３記載の考案は上蓋に注水口を設け、金属製金網を施し、米の流出を防ぐとともに、注水口から水道の蛇口より直接給水出来た。水を上から下に流しこむ事で屑米は迅速に金網篭の外へ排出された。容器本体には排水口を設置し、金網篭に挿入れた米を容器本体内部で水中で撹拌、出来た濁水と屑米は迅速に金網篭で米と濁水、屑米に分けられ排水口より排水出来た。一方、排水口の反対側には、グリップを垂直に設け、グリップを握り、傾ける事により濁水と屑米は容易に排水口より排水する事が出来た。上蓋はアームで固定できるため容器本体を傾けても上蓋が外れなかった。
【０００７】
請求項４記載の考案は容器本体の排水口より見て、両側面には半円柱状のアーム取付突片を右2ヶ所左2ヶ所設けアームを取り付けられる小孔を設け、アームを取り付た。上蓋の上外淵は若干盛り上げアームの形状はその上蓋の外淵周囲の形状に合わせ刻み加工した。そのアームで上蓋をロックする事によって、上蓋を圧着固定した。同時に上蓋の内部淵に設けた上蓋の内部突条で、容器本体の内側に設けた内部側面突条に載せた金網篭を、同時に挟み圧着固定出来た。金網篭は容器本体の内部底部に8個の内部底部突片設け、金網篭の外底部に設けた高台と噛み合わせる様設置し金網篭の回転を防止し、スクリュウを回転させても金網篭は回転する事はなかった。
【考案の効果】
【０００８】
以上詳述した様に、本考案のスクリュウ式手動洗米器においては、容器本体と内部に収めた金網篭と容器本体を覆う上蓋と上蓋の中央部に取付けた左右に回転し、上下に自由移動でき、金網篭の内部で回転出来る撹拌翼で、その撹拌翼は船のスクリュウの形状に似た形状にし、そのスクリュウの回転により発生する推進力を利用する事で、より大きな水の撹拌を利用出来、優れた洗米作用が得られた。金網篭とスクリュウの間に金属の突片を設置し金網篭とスクリュウの間に隙間を空ける事で米と水の撹拌時に、米に加わる負荷を著しく和らげ、米の破損も著しく抑える事が出来た。金網篭を使用する事で、金網篭内の濁水と米に混じる屑米を迅速に金網篭外に排出する事が出来る為、少量の水を幾度か交換する事で洗米出来、使用する水を節約出来た。更に上蓋には注水口を設け金属製の金網を施し米の流出を防ぐとともに、注水口より、水道の蛇口から直接、注水出来た。又上記容器本体には排水口を設け、洗米した時、生じる濁水と米に混じる屑米を、金網篭の外部に排出し、排水された濁水と屑米は排水口へ導き排水し、同排水口の反対側にはグリップを設け、グリップを握り、傾ける事により、洗米の時に生じた濁水と屑米の排水を排水口より容易に排水が出来、交換する水も少量で洗米が出来、節水も出来た。加えて、容器本体の外部の両側面には半円柱状のアーム取付突片を設け、同アーム取付突片には上蓋を圧着固定するアームを取り付けたので、確実に上蓋を圧着固定出来た。
【考案を実施するための最良の形態】
【０００９】
以下、本考案によるスクリュウ式手動洗米器の実施の形態を図面に基づいて説明する。図１は本考案のスクリュウ式手動洗米器の実施形態を示す縦断面図である。このスクリュウ式手動洗米器は、上蓋とスクリュウ側Ａと容器本体と金網篭側Ｂとに分かれており、図２は本考案の容器本体と金網篭側Ｂと上蓋とスクリュウ側Ａを組み立てた正面断面図である。図３は本考案の容器本体と金網篭側Ｂと上蓋とスクリュウ側Ａを組み立てた側面断面図である。図４は容器本体の平面図。図５は上蓋とスクリュウ側Ａを下から見た平面図。図６は金網篭を示す図面で、図６アは平面図と図６イは正面断面図。図７はスクリュウ部を示す図面で、図７アは正面図、図７イは下部側からの平面図。図８はアームを示す図面で、図８アは正面図と図８イは平面図である。
【００１０】
まず、容器本体１と金網篭側Ｂから説明する、図１に図示する如く容器本体１は底を有する円筒形でカップ状の容器であり、内部にはこれより一回り小さい金網篭５を挿入する事ができた。容器本体１の内部周囲側面には内部側面突条21を設け金網篭５を載せ受け止めた。金網篭５の回転を防ぐ為内部底部には内部底部突片17を8ヶ所、金網篭５の外底部に設けてある高台15に噛み合う様に設置。外部には排水口７とそれと180度反対側にグリップ８を垂直に設置、それらと90度両外側面には半円柱状のアーム取付突片10を右2ヶ所左2ヶ所を設置、アーム９を取り付けられる小孔を設けた。図６は金網篭図面で金属淵19は金網篭５の金属製の淵で金網篭５の強度図ると同時に容器本体１の内部周囲側面の内部側面突条21に乗せる為の突条を設けた。その金属淵19内淵には金網篭５を容器本体１より着脱する時に必要な金属製の取手16が設けた。外部底部には高台15が設け、容器本体１内部底に設置した内部底部突片17と噛み合わせる事で、金網篭５の回転を防止出来た。図８はアーム図面でアーム９は容器本体１の両外側面に設置してあるアーム取付突片10に取付、容器本体１に覆う上蓋２をロックし不動にした。上蓋２の外淵はアーム９でロックする為の盛り上げ14を施して有る為、アーム９の形状はロックする為の盛り上げ14合わせ加工した。
【００１１】
続いて上蓋とスクリュウ側Aの説明に移る。上蓋２は容器本体１の上部を覆う丸い蓋であり、中央部にはハンドル軸受18を有しハンドル軸受18には下部にスクリュウ４を取付けた回転軸26が貫通しハンドル3に付着、上下に移動出来、左右に回転できた。上蓋２の下淵の内側面には金網篭５の金属淵19の突条を押さえる為に必要な内部突条22が設置した。上蓋２の中央部に設けたハンドル軸受18は回転軸２6を安定させる為、やや長めに設置する。上蓋２の上部のハンドル軸受18と上蓋２の淵との間には水道水を蛇口から直接給水出来る注水口６を設け、金網12を挿入しリング13で固定した。それにより金網篭５内に挿入した米の流出を防いだ。上蓋２の上淵はアーム９で、ロックする為の盛り上げ14を施した。ハンドル３はハンドル３と回転軸26からなり固定ピン25で固定した。回転軸26は下部にスクリュウ４を取付た。そのスクリュウ４を取付る側は、傾斜を付け裾広がりにし、米がスクリュウ４の上部に溜まらず、滑り落ち易くなる形状に形成した。スクリュウ４は弾力性の有るシリコンゴム製で、米の破損を著しく抑えると共にゴム特有の移り香を無くせた。スクリュウ４は座金23と金属の突片11で固定、先端の金属の突片11は金網篭５との間に隙間を生じさせ、同時にスクリュウ４を固定する役目も有する。又図7はスクリュウ部の図面で、形状は船のスクリュウに似た形状で、生み出す推進力で撹拌、大きな水流を発生させた。一方ハンドル３上部には握り20を設け、握り20が回転出来る様、握り回転軸25に通すとハンドル３の回転が容易になった。
【図面の簡単な説明】
【００１２】
【図１】スクリュウ式手動洗米器の実施形態を示す、分離した状態での縦断面図である。
【図２】容器本体と金網篭側Aと上蓋とスクリュウ側Bを組み立てた正面断面図である。
【図３】容器本体と金網篭側Aと上蓋とスクリュウ側Bを組み立てた側面断面図である。
【図４】容器本体平面図である。
【図５】上蓋の下側から見た平面図である。
【図６】金網篭図面でアは平面図、イは正面断面図である。
【図７】スクリュウ部の図面で、アは正面図、イは平面図である。
【図８】アーム図面で、アは正面図、イは平面図である
【符号の説明】
【００１３】
Ａ・・・上蓋とスクリュウ側
Ｂ・・・容器本体と金網篭側
１・・・容器本体
２・・・上蓋
３・・・ハンドル
４・・・スクリュウ
５・・・金網篭
６・・・注水口
７・・・排水口
８・・・グリップ
９・・・アーム
10・・・アーム取付突片
11・・・金属の突片
12・・・金網
13・・・リング
14・・・ロックする為の盛り上げ
15・・・高台
16・・・取手
17・・・内部底部突片
18・・・ハンドル軸受
19・・・金属淵
20・・・握り
21・・・内部側面突条
22・・・上蓋の内部突条
23・・・座金
24・・・固定ピン
25・・・握り回転軸
26・・・回転軸
【図１】
0003132807.tif 000003
【図２】
0003132807.tif 000004
【図３】
0003132807.tif 000005
【図４】
0003132807.tif 000006
【図５】
0003132807.tif 000007
【図６】
0003132807.tif 000008
【図７】
0003132807.tif 000009
【図８】
0003132807.tif 000010